(57)【特許請求の範囲】
【請求項１】
信号送受信用のアンテナと、リーダからの信号を受信して応答する信号をリーダに送信する回路とを備え、人に携帯される非接触方式ｌＣタグと、複数のリーダを有する人の位置情報把握把握システムであって、前記複数のリーダが質問信号を発すると、各リーダとの各交信範囲にある前記非接触方式ＩＣタグが、応答信号を発信し、前記リーダは前記非接触方式ＩＣタグからの該応答信号を受信し、該リーダの交信範囲に前記非接触方式ＩＣタグがあると推定し、複数のリーダで前記非接触方式ＩＣタグからの該応答信号を受信したときは、応答信号を受信したリーダの各交信範囲の共通範囲に非接触方式ＩＣタグ２２１があると推定し、また、交信範囲の共通範囲を持つ複数のリーダで、応答信号を受信できるリーダと受信できないリーダが有る場合、応答信号を受信できるリーダの受信範囲から受信できないリーダとの共通範囲を除いた範囲に前記非接触方式ｌＣタグがあると推定することを特徴とする人の位置情報把握システム。
【請求項２】
前記非接触方式ＩＣタグが、入場する施設で配布される物品又は貸し出される物品に取付けられていることを特徴とする請求項１記載の人の位置情報把握システム。
【請求項３】
前記リーダが携帯型であり、電気通信回線に無線接続可能なリーダであることを特徴とする請求項１または請求項２記載の人の位置情報把握システム。
【請求項４】
前記質問信号が、周波数がホッピングされた信号であることを特徴とする請求項１乃至請求項３のいずれか一項記載の人の位置情報把握システム。
【発明の詳細な説明】
【０００１】
【発明の属する技術分野】
本発明は、非接触方式ＩＣタグを用いた、人の位置情報の把握システムに関する。また、アミューズメント施設、テーマパーク、遊園地、動物園、デパート、スーパーマーケット等の施設での人の位置情報の把握が可能である人の位置情報の把握システムに関する。
【０００２】
【従来の技術】
アミューズメント施設、テーマパーク、遊園地、動物園、デパート、スーパーマーケット等の施設で、混雑具合や待ち時間等の確認のためなど、人の位置を把握する必要性があったが、この場合は従業員の目視で大雑把に把握しているのみで、個別の人の動きや、その人の動きの全体的傾向の把握、例えば動線の把握はされてはいなかった。
【０００３】
【発明が解決しようとする課題】
このため、個別の人の動きの把握が必要な、アミューズメント施設、テーマパーク、遊園地、動物園、デパート、スーパーマーケット等の施設での人の位置情報の把握が、個別の人の動きや、その人の動きの全体的傾向の把握、例えば動線レベルでの把握はされてはいなかった。
【０００４】
本願発明は上述のような、欠点を改善するものであり、具体的には個別の人の動きや、その人の動きの全体的傾向の把握、例えば動線レベルでの把握ができるシステムを提供することを目的とするものである。
【０００５】
【課題を解決するための手段】
上述の目的を達成するため、請求項１に係る本発明では、信号送受信用のアンテナと、リーダからの信号を受信して応答する信号をリーダに送信する回路とを備え、人に携帯される非接触方式ｌＣタグと、複数のリーダを有する人の位置情報把握把握システムであって、前記複数のリーダが質問信号を発すると、各リーダとの各交信範囲にある前記非接触方式ＩＣタグが、応答信号を発信し、前記リーダは前記非接触方式ＩＣタグからの該応答信号を受信し、該リーダの交信範囲に前記非接触方式ＩＣタグがあると推定し、複数のリーダで前記非接触方式ＩＣタグからの該応答信号を受信したときは、応答信号を受信したリーダの各交信範囲の共通範囲に非接触方式ＩＣタグ２２１があると推定し、また、交信範囲の共通範囲を持つ複数のリーダで、応答信号を受信できるリーダと受信できないリーダが有る場合、応答信号を受信できるリーダの受信範囲から受信できないリーダとの共通範囲を除いた範囲に前記非接触方式ｌＣタグがあると推定することを特徴とする人の位置情報把握システムを提供するものである。
【０００６】
また、請求項２に係る本発明では、前記非接触方式ＩＣタグが、入場する施設で配布される物品又は貸し出される物品に取付けられていることを特徴とする請求項１記載の人の位置情報把握システムを提供するものである。
【０００７】
また、請求項３に係る本発明では、前記リーダが携帯型であり、電気通信回線に無線接続可能なリーダであることを特徴とする請求項１または請求項２記載の人の位置情報把握システムを提供するものである。
【０００８】
また、請求項４に係る本発明では、前記質問信号が、周波数がホッピングされた信号であることを特徴とする請求項１乃至請求項３のいずれか一項記載の人の位置情報把握システムを提供するものである。
【０００９】
なお、「人に携帯される」とは、非接触方式ＩＣタグと位置情報を把握しておく人が同一位置にいることが必要であるため、非接触方式ＩＣタグを人が携帯していればよい。
【００１０】
例えば、非接触方式ＩＣタグ付きバッチを人が胸につけておく、というような形で携帯してもらう方法が考えられる。
【００１１】
また、「人の位置情報」とは、例えば人がいる場所の情報である。特定の人がどこにいるか、という位置情報や、リーダの周囲１０ｍ以内に人が何人いるか、ということを把握するために用いる、不特定の人の位置情報があげられる。
【００１２】
また、「信号送受信用のアンテナ」とは、リーダからの質問信号を受信し、その信号に応答する信号を送信するためのアンテナがあげられる。
【００１３】
また、「非接触方式ＩＣタグ」とは、非接触方式でデータの授受を行なう非接触方式ＩＣタグのことである。具体的には、下記▲１▼、▲２▼、▲３▼を少なくとも備えるものであり、例えば、ＩＣチップ上にアンテナを備えたもの等である。なお、非接触方式ＩＣと接触方式ＩＣを合わせ持つ、もしくは兼ねるハイブリッドＩＣタグでも構わないものである。
【００１４】
▲１▼  信号送受信用のアンテナ
▲２▼  回路（リーダからの信号を受信し、その信号に応答する信号をリーダに送信する）
▲３▼  記憶手段（例：メモリー）
【００１５】
なお、グループＩＤを使用するシステムの場合は、再使用の場合にＩＤを書き直す必要があり、リライタブルでなければならない。グループの人数が常に同じでないからである。
【００１６】
また、これらの他に、各種機能、例えばリーダからの信号を受信する以外の各種信号を受信した場合、別の機能を発揮するものであっても構わない。
【００１７】
また、「応答信号に基づき人の位置情報を把握する」とは、下記の方法があげられる。
▲１▼  応答信号をそのまま表示する方法
▲２▼  応答信号をそのまま、もしくは変換して記憶手段に記憶、蓄積し、人の位置情報を把握したい時に表示手段に表示させる方法
などがある。
【００１８】
その他、音声的に知らせる等の、各種位置情報の把握に役立つ把握したい情報を提示する手段を用いる事が可能である。
【００１９】
さらに、この「応答信号に基づき人の位置情報を把握する」機能は、リーダ自体がその機能を有するものでも、リーダから応答信号をそのままもしくはこの応答信号が変換されたものを受けた情報を電気通信回線もしくは無線接続等された別体で行うものであっても構わない。
【００２０】
また、「リーダ」は、固定型、携帯型どちらでも構わない。
【００２１】
リーダは、固定型の場合は、例えば施設内の所定箇所に設けられている場合、あるいは一定間隔に設けられている場合があげられる。形態としてはゲート型リーダでもよい。
【００２２】
携帯型の場合は、リーダを携帯している人が移動しても例えば人の位置情報の把握ができて好ましい。また、電気通信回線に無線接続可能なものであることが好ましい。
【００２３】
また、「電気通信回線」とは、電話回線や通信用ネットワーク回線があげられる。
【００２４】
また、「電気通信回線に接続」とは、例えば携帯電話と一体型になったリーダ、あるいは携帯電話にケーブルで接続可能なリーダのように、接続可能ものがあげられる。例えばリーダとしてブルートゥース通信可能な携帯電話を用いることがあげられる。
【００２５】
また、表示装置、音声出力装置を有し、商品情報を表示可能なようにすることが好ましい。表示装置がカラーであれば、商品情報として色情報を表示させることもできる。音声出力装置であれば、音声案内が可能となる。
【００２６】
その他、電気通信回線に無線接続可能なリーダで応答信号を読取り、電気通信回線を通してＷＥＢに接続し、地図情報と重ねることにより、周囲の施設情報等の有効な情報もさらに得ることが可能となる。
【００２７】
また、「周波数がホッピングされた信号」とは、周波数がホッピングされた信号で、例えばブルートゥース通信方式に準拠した信号があげられる。
【００２８】
周波数ホッピングされた信号であるのは、質問信号だけでもよい。その場合、応答信号は一定周波数の信号でもよい。
【００２９】
また、「信号を受信して応答する信号をリーダに送信する回路」とは、アンテナからリードオンリーメモリ（以下ＲＯＭと称する）、ランダムアクセスメモリ（以下ＲＡＭと称する）、演算処理部（以下ＣＰＵと称する）、もしくはこれらの結線回路からなる回路の事であり、少なくともリーダからの質問信号を受信したアンテナの受信信号を受けて、その信号に応答する信号を送信するためのアンテナへの信号を供給する回路であれば、いかなる回路でも良い。
【００３０】
また、「リーダから発せられた質問信号を受信する段階」とは、非接触方式ＩＣタグで行われる段階で、少なくともリーダから発せられた無線信号の質問信号を受信したアンテナの、受信信号を受けるプロセスであるが、実際には信号を受信して応答する信号をリーダに送信する回路に信号が流れないと動作しないために、その後回路に信号が流れる事が必要である。
【００３１】
また、「非接触方式ＩＣタグからの応答信号をリーダが受信する段階」とは、非接触方式ＩＣタグで行われる段階で、少なくとも非接触方式ＩＣタグのアンテナから発せられた無線信号の応答信号を受信したリーダの、応答信号を受けるプロセスであるが、この応答信号に基づき次の工程である応答信号に基づき人の位置情報を把握する段階にそのまままたは変換等することで結びつく事が必要である。
【００３２】
また、「入場する施設で配布される物品」とは、入場券、利用券、迷子札など、各種入場に配布されるとともに、その人が携帯、首に掛ける、服に止める等で身から離さない事が可能な各種物品が可能であり、有償無償を問わない。例えば入場券の場合は、リードオンリーのタグを入場券に取り付けておけばよい。
【００３３】
この場合、入場券のタグに年齢や大人・子供の区分あるいは性別等を記録しておけば、それらで層別した人の動き等を把握することもできる。
【００３４】
従って、入場券発券の際に入場券に付与された非接触方式ＩＣタグに家族などの１グループごとに同じ識別ＩＤを記録することで、グループをそのグループＩＤで識別できるようにすることも可能である。
【００３５】
また、グループＩＤに加えて、個人ＩＤを記録しても、個人ＩＤだけでもよい。この場合の個人ＩＤは例えば１からの通し番号、その他ランダム、券種毎の分別などがされているものなど、各種の方式の個人ＩＤが可能である。
【００３６】
なお、入場者の氏名を書き込む方法も考えられるが、手間がかかるので実際的ではない。
【００３７】
また、グループＩＤ＋個人ＩＤは固有ＩＤとして使用でき、位置確認、動線確認に好適である。
【００３８】
なお、希望者のみが使用できるようにする場合は、入口に案内所等を設け、そこで非接触方式ＩＣタグ付きの迷子札のようなものに上の例と同様に、グループごとに同じ識別グループＩＤを非接触方式ＩＣタグに書き込み、それを人数分、配布するか、貸し出せばよい。この場合も、非接触方式ＩＣタグに個人ＩＤや氏名等を追加で書き込む実施方法も可能である。
【００３９】
この場合、入場券と同じような形状あるいはカード方式も考えられるが、紛失しやすいので、ペンダントのような首掛けタイプやバッジのような衣服取り付けタイプあるいは腕輪のような身体保持タイプ等にすれば施設内での紛失の可能性が減少する。特に子供に有効である。
【００４０】
この場合はデパートやスーパー等、入場券が不要な施設でも利用できる。
【００４１】
また、ＩＤだけの場合、必要個数を入力することでその数だけ迷子札等を自動的に発行する方式も考えられる。
【００４２】
また、「貸し出される物品」とは、上記配布の様に回収が前提となっていない物品の他、回収が前提となって貸し出されている場合がある事を示すものである。したがって、施設専用の買い物用カートやかごにチップを埋め込んでおけば、リードオンリー非接触方式ＩＣタグでもよい。
【００４３】
これにより、人の動線や混雑度を記録できることで、デパートやスーパー等では売場のレイアウト変更の際に、それらのデータを参考にすることで混雑緩和や人の移動のしやすさに配慮したレイアウトが可能になる。
【００４４】
また、「無線接続可能」とは、各種接続方式が可能である。従って、その信号伝送方式やその動作タイミングなどを問うものではない。
【００４５】
【発明の実施の形態】
また本願発明の人の位置情報把握システムは、以下の様に応用可能である。
【００４６】
請求項１に係る本発明では、信号送受信用のアンテナと、リーダからの信号を受信して応答する信号をリーダに送信する回路とを備え、人に携帯される非接触方式ＩＣタグが、リーダから発せられた質問信号を受信する段階と、非接触方式ＩＣタグからの応答信号をリーダが受信する段階と、前記応答信号に基づき前記人の位置情報を把握する段階とからなる人の位置情報把握システムを提供する。
【００４７】
また、請求項２に係る本発明では、前記非接触方式ＩＣタグが、入場する施設で配布される物品又は貸し出される物品に取付けられていることを特徴とする請求項１記載の人の位置情報把握システムを提供する。
【００４８】
また、請求項３に係る本発明では、前記リーダが携帯型であり、電気通信回線に無線接続可能なリーダであることを特徴とする請求項１または請求項２記載の人の位置情報把握システムを提供する。
【００４９】
また、請求項４に係る本発明では、前記質問信号が、周波数がホッピングされた信号であることを特徴とする請求項１乃至請求項３のいずれか一項記載の人の位置情報把握システムを提供する。
【００５０】
次に、本発明を図１から図６に示す実施例に基づいて詳細に説明する。
【００５１】
図１は、本発明の人の位置情報把握システムの全体動作説明図、図２は、本発明の非接触方式ＩＣタグの動作説明図、図３は、リーダによる非接触方式ＩＣタグの位置情報の決定方法を示す概念平面図、図４は、リーダによる非接触方式ＩＣタグの位置情報の決定方法を示す動作説明図、図５は、本発明の人の位置情報把握システムで使用される非接触式非接触方式ＩＣタグの平面説明図、図６は図５のＸ−Ｘ線断面説明図である。
【００５２】
本発明のシステムの説明に先だって、本発明で使用される非接触式非接触方式ＩＣタグを図５、図６に基づいて説明する。非接触式非接触方式ＩＣタグ１は、非接触方式でデータの送受信を行うアンテナが設けられているアンテナ部２と情報記憶部を有するＩＣ回路３を基材シート４内に内包している。
【００５３】
なお、入場券等の場合はその表面に印字可能な構成が求められ、また、必要に応じてこの基材シート４の表裏面に入場者名を記載するために、シート５、６で挟持してなる上質紙または筆記適性をもたせた樹脂でサンドイッチされている構成が求められる場合がある。
【００５４】
その場合の表面の印字部は、トナー印字適性を持たせるため各種樹脂や導電材による表面コートが施される場合が多い。
【００５５】
例えば、ノンインパクトによるトナー印字の際、転写性を向上させるために導電材を塗工し、タグ表面の抵抗値を１．０×１０の１１乗オーム以下に設定したり、あるいは、トナーの定着性を向上させるために各種の樹脂を塗工し、アンカーコート層を形成することにより、トナーの印字適性を向上させることができる。
【００５６】
また、表面には、耐熱インクを塗布してもよく、この耐熱インクのうち少なくとも黒インク等で印字欄や模様等が構成される場合は、カーボンレスインクで構成されてなるものである。
【００５７】
これにより、タグ表面へのノンインパクト方式、例えば静電写真印刷によるトナー印字の際、黒印刷部の畜熱を防止でき、ＩＣ回路３を熱圧からの影響が回避できる。この場合の耐熱インクは、紫外線（以下ＵＶと称する）硬化インクが、使用されており、ＵＶランプ等により乾燥されてなるもので、カード表面へのノンインパクトによるトナー印字の際、印字部のインクが溶けることなく安定した印字が行えるとともに、印字部の内面側のＩＣ回路３を熱圧から保護できる。
【００５８】
もちろん物品の種類等により、印字や筆記、表記が必要のない場合は、この様な工夫は不要である事は当然である。
【００５９】
次に、位置情報の把握処理に係る処理は、図１から図４を用いて説明する。
【００６０】
まず、図１を用いて、本発明の人の位置情報把握システムの全体動作説明を行う。
【００６１】
非接触方式ＩＣタグ２１は、信号送受信用のアンテナ２２と、リーダ２４からの質問信号２５を受信して応答する応答信号２６をリーダ２４に送信する回路２３とを備えている。
【００６２】
リーダ２４から質問信号２５が発信されると、アンテナ２２にて受信して回路２３を流れる事でアンテナ２２に信号が送られ、応答信号２６をアンテナ２２から発信される。この応答信号２６をリーダ２４が受信すると、この応答信号２６に基づき位置情報２８を把握する。
【００６３】
なお、図１では応答信号２６はリーダ２４外の無線接続２７を介して送信されて、その送信された応答信号２６に基づき位置情報２８が求められるが、リーダ２４内でこの応答信号２６に基づき位置情報２８を把握するものであっても構わない。
【００６４】
また、図２を用いて、本発明の非接触方式ＩＣタグの動作説明図を行う。
【００６５】
またこの非接触方式ＩＣタグ２１は、入場１０１と同時に動作を開始し、リーダ２４から発せられた質問信号２５を受信する段階１０２と、非接触方式ＩＣタグからの応答信号をリーダが受信する段階１０３とからなり、退場の判断１０４の結果、退場したら退場処理１０５を行い、退場していないならば質問信号２５を待信することで、質問信号２５を受信する段階１０２の直前に戻る。
【００６６】
また、図３を用いて、リーダによる非接触方式ＩＣタグの位置情報の決定方法を説明する。
【００６７】
各リーダ２０１、２０１、２０３、２０４には各々交信範囲２１１、２１２、２１３、２１４がある。その中には非接触方式ＩＣタグ２２１、２２２、２２３、２２４、２２５、２２６、２２７、２２８が散在している。
【００６８】
この状態で各リーダ２０１、２０１、２０３、２０４から質問信号を発すると、各交信範囲２１１、２１２、２１３、２１４内の非接触方式ＩＣタグ２２１、２２２、２２３、２２４、２２５、２２６、２２７、２２８のみの応答信号を受信できる。
【００６９】
例えば、リーダ２０１で非接触方式ＩＣタグ２２１の応答信号を受信できれば、リーダ２０１の交信範囲２１１に非接触方式ＩＣタグ２２１があり、その持ち主がその交信範囲２１１にいると推定できる。
【００７０】
同様に、リーダ２０２で非接触方式ＩＣタグ２２２の応答信号を受信できれば、リーダ２０２の交信範囲２１２に非接触方式ＩＣタグ２２２があり、その持ち主がその交信範囲２１２にいると推定できる。
【００７１】
また、リーダ２０３とリーダ２０４で非接触方式ＩＣタグ２２７の応答信号を受信できれば、リーダ２０３の交信範囲２１３で、かつリーダ２０４の交信範囲２１４に非接触方式ＩＣタグ２２７があり、その持ち主がその交信範囲２１３と交信範囲２１４の共通範囲にいると推定できる。
【００７２】
さらに、リーダ２０１とリーダ２０２とリーダ２０３で非接触方式ＩＣタグ２２４の応答信号を受信できれば、リーダ２０１の交信範囲２１１で、かつリーダ２０２の交信範囲２１２で、かつリーダ２０３の交信範囲２１３に非接触方式ＩＣタグ２２４があり、その持ち主がその交信範囲２１１と交信範囲２１２と交信範囲２１３の３つの領域の共通範囲にいると推定できる。
【００７３】
これを応用すれば、リーダ２０１とリーダ２０２で非接触方式ＩＣタグ２２３の応答信号を受信でき、リーダ２０３で非接触方式ＩＣタグ２２３の応答信号を受信できなければ、リーダ２０１の交信範囲２１１で、かつリーダ２０２の交信範囲２１２で、かつリーダ２０３の交信範囲２１３外に非接触方式ＩＣタグ２２３があり、その持ち主がその交信範囲２１１と交信範囲２１２の共通範囲から交信範囲２１３を除いた範囲にいると推定できる。
【００７４】
これを図４を用いてリーダによる非接触方式ＩＣタグの位置情報の決定方法を説明する。
【００７５】
リーダでは質問信号発信３０１が行われると、もし受信領域内に非接触方式ＩＣタグが存在すれば、応答信号受信３０２が行われる、この受信結果は、複数のリーダで受信したかの判断３０３が行われ、もし複数のリーダで受信した場合は、その受信したリーダの境界領域に非接触方式ＩＣタグがあり、その持ち主がその範囲にいると推定できる。
【００７６】
他方。単独のリーダで受信した場合は、その単独受信領域に非接触方式ＩＣタグがあり、その持ち主がその範囲にいると推定できる。
【００７７】
この様なシステムにより、リアルタイムで人の位置情報を把握したり、人の移動履歴を把握することが可能となる。
【００７８】
また、請求項１乃至請求項５のいずれか一つに記載の人の位置情報把握システムを用い、一定の場所にいる人の人数を把握して、情報を欲する人に知らせることを特徴とする人の位置情報通知方法に利用する事も可能である。
【００７９】
この場合の情報を欲する人とは、その一定の場所にいる人、他の場所からその一定の場所に行こうとしている人、その一定の場所を通過しようとする人、あるいは施設の運営者、管理者などがあげられる。
【００８０】
また、一定の場所にいる人の人数を把握して、ということは、例えば応答信号を受信して、演算を行ない、人数を表示する、ということが考えられる。
【００８１】
これにより、一定の場所にいる人の人数を把握することにより、混雑度合を判断することができる。例えばその一定の場所がテーマパークの場合のアトラクションである場合には、そのアトラクションを後回しにしたり、待ち時間を把握したり、あるいはアトラクションの管理者が、待ち時間を他の人に案内したり、ということが可能となり、施設の運営上利便性を高める事が可能になる。
【００８２】
さらに、請求項１乃至請求項５のいずれか一つに記載の人の位置情報把握システムを用い、特定の人の捜索することを特徴とする人の捜索方法にも応用する事が可能である。
【００８３】
これにより、迷子等を簡単に見つけ出すことが可能となる。
【００８４】
この場合、今まで説明した様なカートやかごの場合、あるいは位置確認等はリードオンリー機能のみのタグでもよかったが、迷子や迷い人捜しの場合はリード・ライト両機能があった方が好ましい。
【００８５】
例えば、子供や徘徊老人に、非接触方式ＩＣタグ付きの迷子札等（形態は上記参照）を持たせ、非接触方式ＩＣタグに氏名、年齢、住所や電話番号等の連終先を記録しておく。子供が迷子になったり、徘徊老人を捜す場合、市町村単位等の地域市町村単位等内の電柱や交差点、あるいは建物の入口等にリーダーを設置しておき、リーダは回線で例えば迷子センターにつながっている。
【００８６】
そして、迷子が発生したり、老人の行方がわからなくなった場合、センターに連絡してシステムを起動してもらう。なお、常時起動している必要はないが、常時起動していてもよい。上記と同じようにして子供や老人の居場所を探して、連絡してもらう。あるいは、その情報を携帯電話等に表示できれば、それを見ながら探すこともできる。
【００８７】
また、迷子や徘徊老人を見つけた人は、自分の拐帯電話等で迷子や徘徊老人の保持している迷子札等の非接触方式ＩＣタグの情報を読み取り、家族に連絡したり、送り届けたりできる。なお、この場合は地域を限定しなくても、どこでも実施可能である。
【００８８】
最後に、請求項１乃至請求項５のいずれか一つに記載の人の位置情報把握システムにおいて、人ではなく、ペットに非接触方式ＩＣタグを携帯させ、特定のペットの捜索することを特徴とするペットの捜索方法も可能である。
【００８９】
これにより、行方不明になったペットを簡単に見つけ出すことが可能となる。
【００９０】
具体的には、ペットの首輪に飼い主、住所、電話番号等を記録した非接触方式ＩＣタグを取り付けることで、特定の地域内であれば、ペットが行方不明になったときに上記と同じ方法でペットを探すことができる。また、迷子ペットを見つけた人も同様に飼い主に連絡できる。
【００９１】
ちなみに、貸与方式等の様に回収を欲する場合は、非接触方式ＩＣタグ付き迷子札等を貸し出し、回収して再使用する場合は、出口で回収する等の方法が可能である。
【００９２】
このとき、返却忘れを防止するため、出口にリーダーを設け、非接触方式ＩＣタグを付けたまま出口を出ようとすると返却を要請する警報が出るようにする事も可能である。
【００９３】
【発明の効果】
本願発明により、リアルタイムで人の位置情報を把握したり、人の移動履歴を把握することが可能となるものである。
【００９４】
また、一定の場所にいる人の人数を把握することにより、混雑度合を判断することができる。例えばその一定の場所がテーマパークの場合のアトラクションである場合には、そのアトラクションを後回しにしたり、待ち時間を把握したり、あるいはアトラクションの管理者が、待ち時間を他の人に案内したり、ということが可能となり、施設の運営上利便性が高くなる。
【図面の簡単な説明】
【図１】本発明の人の位置情報把握システムの全体動作説明図である。
【図２】本発明の非接触方式ＩＣタグの動作説明図である。
【図３】リーダによる非接触方式ＩＣタグの位置情報の決定方法を示す概念平面図である。
【図４】リーダによる非接触方式ＩＣタグの位置情報の決定方法を示す動作説明図である。
【図５】本発明の来場管理システムで使用される非接触式非接触方式ＩＣタグの平面説明図である。
【図６】図５のＸ−Ｘ線断面説明図である。
【符号の説明】
１        非接触方式ＩＣタグ
２        アンテナ部
３        ＩＣ回路
４        基材シート
５        シート
２１      非接触方式ＩＣタグ
２２      アンテナ
２３      回路
２４      リーダ
２５      質問信号
２６      応答信号
２７      無線接続
２８      位置情報
１０１〜１０５    処理
２０１〜２０４    リーダ
２１１〜２１４    交信範囲
２２１〜２２８    非接触方式ＩＣタグ
３０１〜３０５    処理
【図１】
0004061945.tif 000002
【図２】
0004061945.tif 000003
【図３】
0004061945.tif 000004
【図４】
0004061945.tif 000005
【図５】
0004061945.tif 000006
【図６】
0004061945.tif 000007